(57)【要約】【課題】レンズを大径化しても、真空チャックによる天板部の吸着が可能、天板部のシールド部材としての機能の確保、天板部のヨークとしての機能の確保、あるいはレンズに対して被写体側が開放状態であっても異物の侵入防止を図ることのできるレンズ駆動装置を提供すること。【解決手段】レンズ駆動装置１において、ケース１８の天板部１８ｂに形成した開口部１８ｃの内径寸法は、レンズ１２１の有効径よりも大きくてレンズ１２１の外径寸法よりも小さいため、天板部１８ｂとして残っている部分が広い。ケース１８において、筒状部１８ａは両端で開口する筒状部材１８０によって構成され、天板部１８ｂは、筒状部材１８０の被写体側端部１８０ａに固定された天板部材１８５からなる。【選択図】図１
2010008946.tif 000002
【特許請求の範囲】
【請求項１】
レンズを備えた移動体と、該移動体の周りを囲む筒状部、および当該移動体を被写体側で覆う天板部を備えた支持体と、前記移動体をレンズ光軸に沿って磁気駆動するレンズ駆動機構と、を有し、前記天板部には、前記レンズに対する光路を確保する開口部が形成されたレンズ駆動装置において、
前記開口部の内径寸法は、前記レンズの外径寸法よりも小さいことを特徴とするレンズ駆動装置。
【請求項２】
前記開口部の内径寸法は、前記レンズの全動作範囲にわたって前記天板部に起因する画像のケラレが発生させない大きさであることを特徴とする請求項１に記載のレンズ駆動装置。
【請求項３】
前記支持体は、前記筒状部および前記天板部が金属製であることを特徴とする請求項１または２に記載のレンズ駆動装置。
【請求項４】
前記支持体は、前記筒状部および前記天板部が磁性材からなることを特徴とする請求項１または２に記載のレンズ駆動装置。
【請求項５】
前記筒状部は筒状部材から構成され、
前記天板部は、前記筒状部材とは別体の天板部材から構成され、
前記天板部材は、前記筒状部材の被写体側端部に固定されていることを特徴とする請求項１乃至４の何れか一項に記載のレンズ駆動装置。
【請求項６】
前記天板部材は、前記筒状部材の被写体側端部に溶接されていることを特徴とする請求項５に記載のレンズ駆動装置。
【請求項７】
前記筒状部材の被写体側端部および前記天板部材のうちの一方側には他方側に向けて突出する突部が形成され、他方側には前記突部が嵌る凹部が形成されていることを特徴とする請求項５または６に記載のレンズ駆動装置。
【請求項８】
前記筒状部材は、被写体側端部で内側あるいは外側に張り出した張り出し部を備えており、
前記天板部材は、前記被写体側端部および前記張り出し部に重なっていることを特徴とする請求項５または６に記載のレンズ駆動装置。
【請求項９】
前記天板部材の端部は、前記筒状部材から外周側に張り出していることを特徴とする請求項５乃至８の何れか一項に記載のレンズ駆動装置。
【請求項１０】
前記支持体において、前記筒状部と前記天板部とは一体の部品からなることを特徴とする請求項１乃至４の何れか一項に記載のレンズ駆動装置。
【発明の詳細な説明】
【技術分野】
【０００１】
本発明は、レンズを備えた移動体を支持体の内側で光軸方向に駆動するレンズ駆動装置に関するものである。
【背景技術】
【０００２】
カメラ付き携帯電話機やデジタルカメラなどに搭載されたカメラは、レンズを光軸方向に変位駆動させるレンズ駆動装置を有している（特許文献１参照）。
【０００３】
このようなレンズ駆動装置は、図９（ａ）、（ｂ）に示すように、概ね、レンズ１２１を備えた移動体３と、この移動体３の外周側を覆う筒状部１８ａ、および移動体３の被写体側を覆う天板部１８ｂを備えたケース１８を備えた支持体２と、矢印Ａおよび矢印Ｂで示すように、移動体３を光軸Ｘに沿って磁気駆動するレンズ駆動機構５とを有しており、ケース１８は通常、深絞り加工により、筒状部１８ａおよび天板部１８ｂが一体に形成された金属部品である。ここで、天板部１８ｂには、レンズ１２１に対する光路を確保する開口部１８ｗが形成されており、かかる開口部１８ｗの内径寸法Ｄｗは、レンズ１２１の外径寸法Ｄｂよりも大きく設計されている。なお、図９（ａ）、（ｂ）に示す構成は、本願発明の特徴を説明するために本願発明者が案出した参考例であり、従来技術ではない。
【特許文献１】特開２００７−６５４３２号公報
【発明の開示】
【発明が解決しようとする課題】
【０００４】
このようなレンズ駆動装置では、カメラの画素数の増大などの影響によってレンズ１２１として大型のものが用いられる傾向にあり、その結果、天板部１８ｂの開口部１８ｗが益々大径化し、天板部１８ｂの面積が狭くなる傾向にある。それ故、例えば、レンズ駆動装置を製造する際、ケース１８の天板部１８ｂを真空チャックで吸着しようとしても、天板部１８ｂが狭くて、ケース１８を吸着できないという問題点がある。また、ケース１８を金属製とすることにより、ケース１８を電磁シールドに利用している場合には、天板部１８ｂの開口部１８ｗが大径化すると、シールド機能が低下するという問題点がある。さらに、ケース１８を磁性体により形成することによって、ケース１８をレンズ駆動機構５のヨークとして利用している場合、天板部１８ｂの開口部１８ｗが大径化すると、ヨークとしての機能が低下するという問題点がある。さらにまた、レンズ１２１に対して被写体側を開放状態で製造する場合や、完成品の段階でレンズ１２１に対して被写体側が開放状態になっている場合、天板部１８ｂの開口部１８ｗが大径化すると、開口部１８ｗからケース１８の内部に異物が侵入してレンズ１２１に付着するなどの問題点が発生しやすくなる。
【０００５】
以上の問題点に鑑みて、本発明の課題は、レンズを大径化しても、真空チャックによる天板部の吸着が可能、天板部のシールド部材としての機能の確保、天板部のヨークとしての機能の確保、あるいはレンズに対して被写体側が開放状態であっても異物の侵入防止を図ることのできるレンズ駆動装置を提供することにある。
【課題を解決するための手段】
【０００６】
以上のような課題を解決するために、本発明では、レンズを備えた移動体と、該移動体の周りを囲む筒状部、および当該移動体を被写体側で覆う天板部を備えた支持体と、前記移動体をレンズ光軸に沿って磁気駆動するレンズ駆動機構と、を有し、前記天板部には、前記レンズに対する光路を確保する開口部が形成されたレンズ駆動装置において、前記開口部の内径寸法は、前記レンズの外径寸法よりも小さいことを特徴とする。
【０００７】
本発明において、前記開口部の内径寸法は、前記レンズの全動作範囲にわたって前記天板部に起因する画像のケラレが発生させない大きさであることが好ましい。
【０００８】
本発明では、支持体の天板部に形成した開口部の大きさについては、所定の大きさ以上であれば、レンズに対する光路を好適に確保でき、レンズの全動作範囲にわたって画像のケラレが発生しないことに着目して、開口部の内径寸法についてはレンズの外径寸法よりも小さくしてある。このため、レンズが大型化しても、天板部として残っている部分が広い。従って、天板部を真空チャックで吸着することが可能である。また、天板部および筒状部を金属製とすることにより、シールド機能をもたせた場合には、十分なシールド機能を発揮する。さらに、天板部および筒状部を磁性材とすることにより、ヨークとしての機能をもたせた場合には、十分に機能する。さらにまた、レンズに対して被写体側を開放状態で製造する場合や、完成品の段階でレンズに対して被写体側を開放状態で使用する場合には、開口部からの異物の侵入を防止することができる。すなわち、レンズに対して被写体側にはフィルタやシャッタ機構など配置する場合があるが、このような場合でも、製造途中ではレンズに対して被写体側が開放状態になっていることがあることから、本発明によれば、かかる構成のレンズ駆動装置であっても、開口部からの異物の侵入を防止することができる。
【０００９】
本発明において、前記支持体は、前記筒状部および前記天板部が金属製であることが好ましい。このように構成すると、筒状部および天板部を電磁シールド材として十分、機能させることができる。
【００１０】
本発明において、前記支持体は、前記筒状部および前記天板部が磁性材からなることが好ましい。このように構成すると、筒状部および天板部をレンズ駆動機構のヨークとして利用することができる。
【００１１】
本発明において、前記筒状部は筒状部材から構成され、前記天板部は、前記筒状部材とは別体の天板部材から構成され、前記天板部材は、前記筒状部材の被写体側端部に固定されていることが好ましい。このように構成すると、筒状部材の内側に、レンズを備えた移動体を配置した後、筒状部材の被写体側端部に天板部材を固定することができる。
【００１２】
本発明において、前記天板部材は、前記筒状部材の被写体側端部に溶接されていることが好ましい。すなわち、天板部材を筒状部材の被写体側端部に固定するにあたっては、接着や溶接を利用できるが、溶接を利用すれば、接着と違って、天板部材と筒状部材の被写体側端部との間に接着剤が介在せず、天板部材と筒状部材の被写体側端部とを直接、繋げることができる。このため、天板部材と筒状部材とを電気的あるいは磁気的に接続することができるので、天板部材と筒状部材とを電磁シールド部材やヨークとして利用するのに適している。
【００１３】
本発明において、前記筒状部材の被写体側端部および前記天板部材のうちの一方側には他方側に向けて突出する突部が形成され、他方側には前記突部が嵌る凹部が形成されていることが好ましい。このように構成すると、筒状部材と天板部材の位置合わせを容易かつ確実に行なうことができる。
【００１４】
本発明において、前記筒状部材は、被写体側端部で内側あるいは外側に張り出した張り出し部を備え、前記天板部材は、前記被写体側端部および前記張り出し部に重なっていることが好ましい。このように構成すると、筒状部材と天板部材とが接する部分を広くすることができるので、天板部材を筒状部材に強固に固定することができる。
【００１５】
本発明において、前記天板部材の端部は、前記筒状部材から外周側に張り出していることが好ましい。すなわち、筒状部と天板部が一体の場合、その形状については加工面での大きな制約があって、天板部が筒状部から外周側に張り出している構成を実現することは困難であるが、筒状部と天板部が別部材からなる場合には、天板部材の端部が筒状部材の被写体側端部で外側に張り出した構造を容易に実現することができ、かかる張り出し部を形成すれば、張り出し部を利用して位置決めなどを行なうことができる。
【００１６】
本発明では、前記支持体において、前記筒状部と前記天板部とは一体の部品からなる構成を採用してもよい。
【発明の効果】
【００１７】
本発明では、支持体の天板部に形成した開口部の大きさについては、所定の大きさ以上であれば、レンズに対する光路を好適に確保でき、レンズの全動作範囲にわたって画像のケラレが発生しないことに着目して、開口部の内径寸法についてはレンズの外径寸法よりも小さくしてある。このため、レンズが大型化しても、天板部として残っている部分が広い。従って、天板部を真空チャックで吸着することが可能である。また、天板部および筒状部を金属製とすることにより、シールド機能をもたせた場合には、十分なシールド機能を発揮する。さらに、天板部および筒状部を磁性材とすることにより、ヨークとしての機能をもたせた場合には、十分に機能する。さらにまた、レンズに対して被写体側を開放状態で製造する場合や、完成品の段階でレンズに対して被写体側を開放状態で使用する場合には、開口部からの異物の侵入を防止することができる。すなわち、レンズに対して被写体側にはフィルタやシャッタ機構など配置する場合があるが、このような場合でも、製造途中ではレンズに対して被写体側が開放状態になっていることがあることから、本発明によれば、かかる構成のレンズ駆動装置であっても、開口部からの異物の侵入を防止することができる。
【発明を実施するための最良の形態】
【００１８】
図面を参照して、本発明の実施の形態を説明する。なお、以下に説明するレンズ駆動装置は、カメラ付き携帯電話機に使用することができるとともに、カメラ付き携帯電話機の他にも、様々な電子機器に取り付けることが可能である。例えば、薄型のデジタルカメラ、ＰＨＳ、ＰＤＡ、バーコードリーダ、監視カメラ、車の背後確認用カメラ、光学的認証機能を有するドア等に用いることができる。
【００１９】
［実施の形態１］
（レンズ駆動装置の全体構成）
図１（ａ）、（ｂ）は各々、本発明の実施の形態１に係るレンズ駆動装置を斜め上方からみた外観図、および分解斜視図である。図２（ａ）、（ｂ）は、図１に示すレンズ駆動装置１の動作を模式的に示す説明図、および筒状部材と天板部材との接合部分を拡大して示す断面図である。なお、図２の左半分は、スリーブ１３が無限遠の位置（通常撮影位置）にあるときの図を示しており、図２の右半分は、スリーブ１３がマクロ位置（接写撮影位置）にあるときの図を示している。
【００２０】
図１（ａ）、（ｂ）、および図２（ａ）において、本形態のレンズ駆動装置１は、カメラ付き携帯電話機などに用いられる薄型カメラにおいて、例えば３枚のレンズ１２１を光軸Ｘ方向に沿って被写体（物体側）に近づくＡ方向（前側）、および被写体とは反対側（像側）に近づくＢ方向（後側）の双方向に移動させるためのものであり、略直方体形状を有している。レンズ駆動装置１は、概ね、３枚のレンズ１２１および固定絞りを内側に備えた円筒状のレンズホルダ１２を保持した移動体３と、この移動体３を光軸Ｘ方向に沿って磁気駆動するレンズ駆動機構５と、レンズ駆動機構５および移動体３などが搭載された支持体２とを有している。移動体３は、円筒状のスリーブ１３を備えており、その内側に円筒状のレンズホルダ１２が固着されている。従って、移動体３の外形形状はスリーブ１３によって規定され、略円柱形状を備えている。
【００２１】
支持体２は、像側で撮像素子（図示せず）を保持するための矩形の撮像素子ホルダ１９と、移動体３の周りおよび被写体側を覆う筒状部１８ａおよび天板部１８ｂを備えたケース１８と、ケース１８の内側に配置されたスペーサ１１とを備えており、スペーサ１１、およびケース１８の天板部１８ｂの中央には、被写体からの光をレンズ１２１に取り込むための円形の開口部１１０、１８ｃが各々形成されている。本形態において、本形態において、筒状部１８ａは角筒状であり、天板部１８ｂは矩形形状を備えている。また、ケース１８は、金属製であり、外部からレンズ駆動装置１に侵入しようとする電磁波ノイズやレンズ駆動装置１に外部に放出されようとする電磁波ノイズに対するシールド部材として利用されている。
【００２２】
レンズ駆動機構５は、スリーブ１３の外周面に巻回された駆動コイル３０と、駆動コイル３０に鎖交磁界を発生させる鎖交磁界発生体４とを備え、駆動コイル３０および鎖交磁界発生体４により磁気駆動機構５ａが構成されている。鎖交磁界発生体４は、駆動コイル３０に対して外周側で対向する４つのマグネット１７を備えている。
【００２３】
本形態において、ケース１８は、鋼板などの強磁性板からなり、マグネット１７に対するヨークとして利用されている。このため、ケース１８は、鎖交磁界発生体４の一部として利用されている。すなわち、ケース１８は、駆動コイル３０の側面側および上面側を覆うような箱形状を有しており、マグネット１７と駆動コイル３０との間に構成される磁路からの漏れ磁束を少なくすることができ、スリーブ１３の移動量と、駆動コイル３０に流す電流との間のリニアリティを向上させることができる。
【００２４】
ケース１８において、対向する一対の側面部１８１は平面状に形成され、他方の対向する一対の側面部１８２は、両端部１８２ａが内側に凹んでいる分、中央には外側に段差状に突出する凸部１８２ｂが形成されている。
【００２５】
本形態において、４つのマグネット１７は各々、略三角柱形状を備えており、ケース１８の筒状部１８ａの内周面のうち、４つの角部分に周方向で離間した状態で固定されている。４つのマグネット１７はいずれも光軸Ｘ方向において磁気的に２分割されており、いずれにおいても内面と外面とが異なる極に着磁されている。また、４つのマグネット１７では、例えば、上半分では内面がＮ極に着磁され、外面がＳ極に着磁され、下半分では、内面がＳ極に着磁され、外面がＮ極に着磁されている。従って、駆動コイル３０は、マグネット１７の上半分と下半分に対応して２分割されており、２分割された駆動コイルの巻回方向は反対である。このように、マグネット１７を四隅に分割して配置すれば、ケース１８の筒状部１８ａの辺部の中央部分において、ケース１８とスリーブ１３との隙間が狭くなっている場合でも、マグネット１７に薄い部分が発生することを防止でき、マグネット１７の強度を高めることができる。また、移動体３に搭載された駆動コイル３０に対して、効率よくマグネット１７の磁気力を作用させることができる。さらに、移動体３とケース１８との間の四隅の空間を、マグネット１７の配置スペースとして有効利用することにより、レンズ駆動装置１全体の小型化を図ることができる。
【００２６】
レンズ駆動機構５は、さらに、撮像素子ホルダ１９とスリーブ１３との間、およびスペーサ１１とスリーブ１３との間の各々にバネ部材１４ｘ、１４ｙを備えている。２つのバネ部材１４ｘ、１４ｙはいずれも、ベリリウム銅やＳＵＳ系鋼材などといった金属製であり、所定厚の薄板に対するプレス加工、あるいはフォトリソグラフィ技術を用いたエッチング加工により形成したものである。
【００２７】
バネ部材１４ｘは、撮像素子ホルダ１９およびスリーブ１３に連結されており、移動体３をレンズ光軸Ｘに沿って移動可能に支持体２に支持された状態とする。また、バネ部材１４ｙは、スペーサ１１およびスリーブ１３に連結されており、移動体３をレンズ光軸Ｘに沿って移動可能に支持体２に支持された状態とする。
【００２８】
また、バネ部材１４ｘ、１４ｙのうち、撮像素子ホルダ１９側に配置されたバネ部材１４ｘは、バネ片１４ａ、１４ｂに２分割されており、駆動コイル３０の２本の端末、巻き始め端部および巻き終わり端部は各々、バネ片１４ａ、１４ｂに接続される。その際、駆動コイル３０の２本の端末のうち、被写体側の端末は、スリーブ１３の外周面に形成された溝（図示せず）を通ることにより、駆動コイル３０の下を潜ってバネ片１４ａまで引き回されている。また、バネ部材１４ｘにおいて、バネ片１４ａ、１４ｂには各々、端子１４ｃが形成されており、バネ部材１４ｘ（バネ片１４ａ、１４ｂ）は駆動コイル３０に対する給電部材としても機能する。
【００２９】
本形態において、レンズ駆動機構５は、さらに、スリーブ１３の上端に保持されたリング状の磁性片１３０を備えており、このような磁性片１３０は、マグネット１７との間に作用する吸引力により移動体３に対して光軸Ｘ方向の付勢力を印加する。このため、移動体３が無通電時に自重で変位することを防止することができるため、移動体３に所望の姿勢を維持させ、さらに耐衝撃性を向上させることが可能である。また、磁性片１３０は、一種のバックヨークとして作用し、マグネット１７と駆動コイル３０との間に構成される磁路からの漏れ磁束を少なくすることができる。なお、磁性片としては、棒状の磁性体が用いられることもある。
【００３０】
スペーサ１１は、ケース１８の天板部１８ｂの内面に取り付けられるとともに、中央には開口部１１０が形成された板部１１５を有している。板部１１５の四隅には、撮像素子側に突き出た小突起１１２が形成されている。
【００３１】
また、撮像素子ホルダ１９には、その四隅に、被写体側に延びる小突起１９２が形成されている。撮像素子ホルダ１９の小突起１９２およびスペーサ１１の小突起１１２は、２つのバネ部材１４ｘ、１４ｙを各々、支持体２に接続する際に用いられる。
【００３２】
スリーブ１３の外周面には、外周側に向けて突出する突起１３ａ、１３ｂが形成されており、突起１３ａ、１３ｂは、レンズ１２１（レンズホルダ１２）を挟む両側位置において、光軸Ｘに対して直交する方向に突出している。このように構成したスリーブ１３（移動体３）をケース１８（支持体２）内に配置すると、突起１３ａ、１３ｂは、隣接するマグネット１７の間において、ケース１８の凸部１８２ｂの内側に配置される。ここで、凸部１８２ｂは、光軸Ｘ方向に延びており、凸部１８２ｂは、移動体３が光軸Ｘ方向に移動した際、突起１３ａ、１３ｂの光軸Ｘ方向への移動を許容する移動路１８２ｅとして機能する。また、衝撃等で移動体３が光軸Ｘ方向と直交する方向（左右方向や周方向）に変位した場合、突起１３ａ、１３ｂがケース１８の凸部１８２ｂの内壁に当接するため、それ以上の移動体３の光軸Ｘ方向と直交する左右方向における変位や、周方向への回転変位を防ぐことができる。
【００３３】
また、スリーブ１３の上端面（被写体側の端面）には、バネ部材１４ｙを連結するための小突起１３ｙが周方向に複数形成されており、スリーブ１３の下端面（撮像素子側の端面）には、バネ部材１４ｘを連結するための小突起１３ｘが周方向に複数形成されている。
【００３４】
（基本的な動作）
本形態のレンズ駆動装置１において、移動体３は、通常は撮像素子側（像側）に位置しており、このような状態において、駆動コイル３０に所定方向の電流を流すと、駆動コイル３０は、それぞれ上向き（前側）の電磁力を受けることになる。これにより、駆動コイル３０が固着されたスリーブ１３は、被写体側（前側）に移動し始めることになる。このとき、バネ部材１４ｙとスリーブ１３の前端との間、およびバネ部材１４ｘとスリーブ１３の後端との間には、それぞれスリーブ１３の移動を規制する弾性力が発生する。このため、スリーブ１３を前側に移動させようとする電磁力と、スリーブ１３の移動を規制する弾性力とが釣り合ったとき、スリーブ１３は停止する。その際、バネ部材１４ｘ、１４ｙによってスリーブ１３に働く弾性力に応じて、駆動コイル３０に流す電流量を調整することで、スリーブ１３（移動体３）を所望の位置に停止させることができる。本形態では、弾性力（応力）と変位量（歪み量）との間に線形関係が成立するバネ部材１４ｘ、１４ｙを用いていることから、スリーブ１３の移動量と駆動コイル３０に流す電流との間のリニアリティを向上させることができる。また、２つのバネ部材１４ｘ、１４ｙを用いていることから、スリーブ１３が停止したときに光軸Ｘの方向に大きな釣り合いの力が加わることになり、光軸Ｘの方向に遠心力や衝撃力等の他の力が働いたとしても、より安定にスリーブ１３を停止させることができる。さらに、レンズ駆動装置１では、スリーブ１３を停止させるのに、衝突材（緩衝材）等に衝突させて停止させるのではなく、電磁力と弾性力との釣り合いを利用して停止させることとしているので、衝突音の発生を防ぐことも可能である。
【００３５】
（ケース１８の詳細構成）
本形態において、ケース１８は、筒状部１８ａを構成する横断面矩形の筒状部材１８０と、天板部１８ｂを構成する矩形の天板部材１８５とからなる２つの部品によって構成されており、筒状部材１８０の被写体側端部１８０ａに対して天板部材１８５を固定した構造になっている。このため、天板部材１８５は、筒状部材１８０の被写体側端部１８０ａの平面形状と同一の平面形状を備えており、端部１８５ａ、１８５ｂのうち、端部１８５ｂには、筒状部材１８０（筒状部１８ａ）の凸部１８２ｂと重なるように張り出した凸部１８５ｃが形成されている。
【００３６】
ここで、筒状部材１８０および天板部材１８５はいずれも、各種の金属のうち、磁性材料から構成されている。このため、ケース１８（筒状部材１８０および天板部材１８５）は、外部からレンズ駆動装置１に侵入しようとする電磁波ノイズやレンズ駆動装置１に外部に放出されようとする電磁波ノイズに対するシールド部材として機能するとともに、磁束の漏れを防止するシールド部材（ヨーク）としての機能を有している。
【００３７】
本形態では、筒状部材１８０の被写体側端部１８０ａに天板部材１８５を固定するにあたって、溶接が行なわれ、かかる溶接として、本形態では、レーザ溶接が行なわれている。このため、図２（ｂ）に示すように、筒状部材１８０の被写体側端部１８０ａと天板部材１８５とが直接、接合されている。
【００３８】
ここで、天板部材１８５には開口部１８ｃが形成されているが、開口部１８ｃは、図９を参照して説明した開口部１８ｗと比較するとかなり小さい。すなわち、本形態においては、開口部１８ｃの内径寸法Ｄｃは、レンズ１２１の外径寸法よりも小さい。本形態では、レンズ１２１を複数枚、備えており、開口部１８ｃの内径寸法Ｄｃは、複数枚のレンズ１２１のうち、最も被写体側に位置するレンズ１２１の外径寸法よりも小さい。但し、開口部１８ｃの内径寸法Ｄｃは、画角、レンズ１２１の有効径、およびレンズ１２１の全動作範囲におけるレンズ１２１と開口部１８ｃの距離を考慮して、レンズ１２１の全動作範囲にわたって天板部１８ｂに起因する画像のケラレが発生させない大きさに設定されており、画像に開口部１８ｃの内周縁が写り込むことがない。例えば、開口部１８ｃの内径寸法Ｄｃは、最も被写体側に位置するレンズ１２１の有効径Ｄａより十分大きく、レンズ１２１が開口部１８ｃから最も離間した最大フォーカス距離においても、開口部１８の内周縁で入射光束がケラレない寸法に設定してある。
【００３９】
（本形態の主な効果）
以上説明したように、本形態では、支持体２に用いたケース１８の天板部１８ｂに形成した開口部１８ｃの内径寸法Ｄｃは、レンズ１２１の有効径Ｄａよりも大きくてレンズ１２１の外径寸法Ｄｂよりも小さい。すなわち、本形態では、開口部１８ｃの大きさはレンズ１２１の有効径Ｄａよりも大きければ、レンズ１２１の外径寸法Ｄｂよりも小さくてもレンズ１２１に対する光路を十分確保することができることに着目して、開口部１８ｃの内径寸法Ｄｃについてはレンズ１２１の外径寸法Ｄｂよりも小さくしてある。このため、本形態では、レンズ１２１が大型化した場合でも、天板部１８ｂとして残っている部分が広い。
【００４０】
従って、本形態によれば、レンズ駆動装置１の製造途中、あるいは製造後、天板部１８ｂを真空チャックで吸着して搬送などを行なうことができる。また、天板部１８ｂおよび筒状部１８ａを金属製とすることにより、シールド材として利用した際、十分なシールド機能を発揮する。さらに、天板部１８ｂおよび筒状部１８ａを磁性材とすることにより、ヨークとして利用した際、十分に機能する。さらにまた、レンズ１２１に対して被写体側を開放状態で製造する場合や、完成品の段階でレンズ１２１に対して被写体側を開放状態で使用する場合には、開口部１８ｃからの異物の侵入を防止することができ、レンズ１２１への異物の付着を防止することができる。
【００４１】
かかる構成を採用すると、レンズ駆動装置１を組み立てる際、開口部１８ｃからレンズ１２１を備えた移動体３を装着することが不可能であるが、本形態において、ケース１８の筒状部１８ａは、両端で開口する筒状部材１８０によって構成され、ケース１８の天板部１８ｂは、筒状部材１８０とは別部品からなる天板部材１８５によって構成されている。このため、筒状部材１８０の内側に、レンズ１２１を備えた移動体３を配置した後、筒状部材１８０の被写体側端部１８０ａに天板部材１８５を固定すればよいので、組み立てに支障がない。
【００４２】
また、本形態では、筒状部材１８０の被写体側端部１８０ａに天板部材１８５を固定するにあたって、溶接が行なわれ、かかる溶接として、本形態では、レーザ溶接がおこなわれている。このため、筒状部材１８０の被写体側端部１８０ａと天板部材１８５とは直接、接合され、筒状部材１８０の被写体側端部１８０ａに天板部材１８５を接着剤で固定した場合と違って、状部材１８０の被写体側端部１８０ａと天板部材１８５との間に接着剤が介在しない。それ故、ケース１８を２つの部品（筒状部材１８０および天板部材１８５）から構成した場合でもシールド部材およびヨークとしての機能を十分に発揮する。特に、ケース１８の電磁波ノイズに対するシールド性能が高ければ、レンズ駆動装置１を携帯電話機などに搭載する際、レンズ駆動装置１の近傍に電磁波発生源があってもかかる電磁波発生源の影響をレンズ駆動装置１が受けることがない。逆に、電磁波ノイズの影響を受けやすい部品をレンズ駆動装置１の近傍に配置しても、レンズ駆動装置１で発生した電磁波ノイズが周囲に影響を及ぼさないという利点がある。
【００４３】
［実施の形態２］
図３（ａ）、（ｂ）は各々、本発明の実施の形態２に係るレンズ駆動装置を斜め上方からみた外観図、およびその要部の分解斜視図である。なお、本形態の基本的な構成は、実施の形態１と同様であるため、共通する部分には同一の符号を付してそれらの説明を省略するとともに、図３（ｂ）には、図１（ｂ）に示すレンズ駆動装置の構成要素のうち、レンズ１２１、レンズホルダ１２、およびケース１８（筒状部材１８０および天板部材１８５）のみを示してある。
【００４４】
図３（ａ）、（ｂ）において、本形態のレンズ駆動装置１も、実施の形態１と同様、レンズ１２１を光軸Ｘ方向に沿って被写体（物体側）に近づくＡ方向（前側）、および被写体とは反対側（像側）に近づくＢ方向（後側）の双方向に移動させるためのものであり、支持体２は、移動体３の周りおよび被写体側を覆う筒状部１８ａおよび天板部１８ｂを備えたケース１８を有している。
【００４５】
かかるケース１８を構成するにあたって、本形態では、実施の形態１と同様、ケース１８には、筒状部１８ａを構成する筒状部材１８０と、天板部１８ｂを構成する天板部材１８５とからなる２つの部品が用いられており、筒状部材１８０の被写体側端部１８０ａに対して天板部材１８５を固定してある。ここで、筒状部材１８０、および天板部材１８５はいずれも、各種の金属のうち、磁性材料から構成されているため、ケース１８（筒状部材１８０および天板部材１８５）はシールド部材およびヨークとしての機能を有している。また、本形態でも、実施の形態１と同様、筒状部材１８０の被写体側端部１８０ａに天板部材１８５を固定するにあたって、溶接が行なわれ、かかる溶接として、本形態では、レーザ溶接がおこなわれている。また、天板部材１８５には開口部１８ｃが形成されているが、開口部１８ｃの内径寸法は、最も被写体側に位置するレンズ１２１の外径寸法よりも小さいが、最も被写体側に位置するレンズ１２１の有効径よりも大きい。
【００４６】
ここで、筒状部材１８０の被写体側端部１８０ａでは、相対向する２辺に、被写体側に向けて突出する突部１８０ｅが２つずつ形成されている一方、天板部材１８５の端部１８５ａには、突部１８０ｅが嵌る凹部１８５ｅが形成されている。その他の構成は実施の形態１と同様であるため、説明を省略する。
【００４７】
このように構成した場合も、ケース１８の天板部１８ｂに形成した開口部１８ｃの内径寸法は、レンズ１２１の有効径よりも大きいが、レンズ１２１の外径寸法よりも小さい。このため、天板部１８ｂとして残っている部分が広いので、レンズ駆動装置１の製造途中、あるいは製造後、天板部１８ｂを真空チャックで吸着して搬送などを行なうことができるなど、実施の形態１と同様な効果を奏する。
【００４８】
また、筒状部材１８０の被写体側端部１８０ａには突部１８０ｅが形成されている一方、天板部材１８５の端部１８５ａには、突部１８０ｅが嵌る凹部１８５ｅが形成されているため、突部１８０ｅと凹部１８５ｅとによって、筒状部材１８０と天板部材１８５とを正確に位置決めすることができるとともに、筒状部材１８０に天板部材１８５を強固に固定することができる。
【００４９】
［実施の形態３］
図４は、本発明の実施の形態３に係るレンズ駆動装置に用いた筒状部材１８０の被写体側端部１８０ａおよび天板部材１８５の端部１８５ｂを拡大して示す説明図である。なお、本形態の基本的な構成は、実施の形態１、２と同様であるため、共通する部分には同一の符号を付してそれらの説明を省略する。
【００５０】
図４において、本形態のレンズ駆動装置１においても、実施の形態１と同様、ケース１８には、筒状部１８ａを構成する筒状部材１８０と、天板部１８ｂを構成する天板部材１８５とからなる２つの部品が用いられており、筒状部材１８０の被写体側端部１８０ａに対して天板部材１８５をレーザ溶接により固定してある。
【００５１】
ここで、筒状部材１８０の被写体側端部１８０ａでは、相対向する２辺に、外側および被写体側の双方に向けて突出した突部１８０ｇが形成されている一方、天板部材１８５の端部１８５ａには突部１８０ｇが嵌る凹部１８５ｇが形成されている。ここで、突部１８０ｇは、筒状部材１８０の肉厚部分として形成されており、外周側への突出高さは、凸部１８２ｂの外周側への突出高さに比して同等以下である。その他の構成は実施の形態１、２と同様であるため、説明を省略する。
【００５２】
以上説明したように、本形態では、筒状部材１８０の被写体側端部１８０ａでは、相対向する２辺に、外側および被写体側の双方に向けて突出した突部１８０ｇが形成されている一方、天板部材１８５の端部１８０ａには突部１８０ｇが嵌る凹部１８５ｇが形成されているため、突部１８０ｇと凹部１８５ｇとによって、筒状部材１８０と天板部材１８５とを正確に位置決めすることができるとともに、筒状部材１８０に天板部材１８５を強固に固定することができる。
【００５３】
［実施の形態４］
図５（ａ）、（ｂ）は各々、本発明の実施の形態４に係るレンズ駆動装置を斜め上方からみた外観図、およびその要部の分解斜視図である。なお、本形態の基本的な構成は、実施の形態１と同様であるため、共通する部分には同一の符号を付してそれらの説明を省略するとともに、図５（ｂ）には、図１（ｂ）に示すレンズ駆動装置の構成要素のうち、レンズ１２１、レンズホルダ１２、およびケース１８（筒状部材１８０および天板部材１８５）のみを示してある。
【００５４】
図５（ａ）、（ｂ）において、本形態のレンズ駆動装置１においても、実施の形態１、２と同様、ケース１８には、筒状部１８ａを構成する筒状部材１８０と、天板部１８ｂを構成する天板部材１８５とからなる２つの部品が用いられており、筒状部材１８０の被写体側端部１８０ａに対して天板部材１８５をレーザ溶接により固定してある。
【００５５】
ここで、天板部材１８５の端部１８５ａには、被写体側とは反対側に向けて突出する突部１８５ｆが形成されている一方、筒状部材１８０の被写体側端部１８０ａには突部１８５ｆが嵌る凹部１８０ｆが形成されている。その他の構成は実施の形態１、２と同様であるため、説明を省略する。
【００５６】
以上説明したように、本形態では、天板部材１８５の端部１８５ａには突部１８５ｆが形成されている一方、筒状部材１８０の被写体側端部１８０ａには突部１８５ｆが嵌る凹部１８０ｆが形成されているため、突部１８５ｆと凹部１８０ｆとによって、筒状部材１８０と天板部材１８５とを正確に位置決めすることができるとともに、筒状部材１８０に天板部材１８５を強固に固定することができる。
【００５７】
［実施の形態５］
図６（ａ）、（ｂ）は各々、本発明の実施の形態５に係るレンズ駆動装置を斜め上方からみた外観図、およびその要部の分解斜視図である。なお、本形態の基本的な構成は、実施の形態１と同様であるため、共通する部分には同一の符号を付してそれらの説明を省略するとともに、図６（ｂ）には、図１（ｂ）に示すレンズ駆動装置の構成要素のうち、レンズ１２１、レンズホルダ１２、およびケース１８（筒状部材１８０および天板部材１８５）のみを示してある。
【００５８】
図６（ａ）、（ｂ）において、本形態のレンズ駆動装置１においても、実施の形態１と同様、ケース１８には、筒状部１８ａを構成する筒状部材１８０と、天板部１８ｂを構成する天板部材１８５とからなる２つの部品が用いられており、筒状部材１８０の被写体側端部１８０ａに対して天板部材１８５をレーザ溶接により固定してある。
【００５９】
ここで、筒状部材１８０の被写体側端部１８０ａでは、相対向する２辺に、内側に向けて突出した張り出し部１８０ｉが形成されており、天板部材１８５は、筒状部材１８０の被写体側端部１８０ａおよび張り出し部１８０ｉに重なっている。その他の構成は実施の形態１と同様であるため、説明を省略するが、本形態では、筒状部材１８０の被写体側端部１８０ａに対して、内側に向けて突出した張り出し部１８０ｉを設けたため、筒状部材１８０と天板部材１８５とが重なる面積が広い。それ故、筒状部材１８０に天板部材１８５を強固に固定することができる。なお、張り出し部１８０ｉは、筒状部材１８０の４辺ス全てに形成してもよく、この場合、隣接する張り出し部１８０ｉ同士が繋がっている構成を採用してもよい。
【００６０】
［実施の形態６］
図７（ａ）、（ｂ）は各々、本発明の実施の形態６に係るレンズ駆動装置を斜め上方からみた外観図、およびその要部の分解斜視図である。なお、本形態の基本的な構成は、実施の形態１と同様であるため、共通する部分には同一の符号を付してそれらの説明を省略するとともに、図７（ｂ）には、図１（ｂ）に示すレンズ駆動装置の構成要素のうち、レンズ１２１、レンズホルダ１２、およびケース１８（筒状部材１８０および天板部材１８５）のみを示してある。
【００６１】
図７（ａ）、（ｂ）において、本形態のレンズ駆動装置１においても、実施の形態１と同様、ケース１８には、筒状部１８ａを構成する筒状部材１８０と、天板部１８ｂを構成する天板部材１８５とからなる２つの部品が用いられており、筒状部材１８０の被写体側端部１８０ａに対して天板部材１８５をレーザ溶接により固定してある。
【００６２】
ここで、天板部材１８５は、筒状部材１８０の平面形状よりも大きく、天板部材１８５の一方の端部１８５ｓは、筒状部材１８０から外周側に張り出している。また、本形態では、天板部材１８５の端部１８５ｓの縁には凹部１８５ｔが形成されており、本形態では、半円形の凹部１８５ｔが形成されている。その他の構成は実施の形態１と同様であるため、説明を省略するが、本形態では、天板部材１８５の一方の端部１８５ｓは、筒状部材１８０から外周側に張り出しているため、かかる端部１８５ｓであれば、任意の面積で形成することができる。このため、本形態によれば、レンズ駆動装置１を小型化した場合でも、天板部材１８５において、筒状部材１８０から外周側に張り出した端部１８５ｓを利用すれば、真空チャックを容易かつ確実に行なうことができる。また、天板部材１８５の端部１８５ｓを利用すれば、レンズ駆動装置１を携帯電話機などに搭載した際の固定部として利用することができる。
【００６３】
また、天板部材１８５の端部１８５ｓに形成した凹部１８５ｔを利用すれば、天板部材１８５の位置出しや、レンズ駆動装置１を携帯電話機などに搭載する際の位置出しに利用することができる。
【００６４】
［実施の形態６の改良例］
図６に示すように、実施の形態５では、筒状部材１８０の被写体側端部１８０ａに、内側に張り出した張り出し部１８０ｉを設けたが、例えば、図７（ｂ）に示すように、天板部材１８５の一方の端部１８５ｓを筒状部材１８０から外周側に張り出させた場合には、図７（ｂ）に一点鎖線で示すように、筒状部材１８０の被写体側端部１８０ａから外側に向けて張り出した張り出し部１８０ｕを形成し、かかる張り出し部１８０ｕと天板部材１８５の端部１８５ｓとの間でも溶接を行なってもよい。このように構成すると、筒状部材１８０と天板部材１８５との重なり面積が広いので、天板部材１８５を筒状部材１８０に強固に固定することができる。
【００６５】
［実施の形態７］
図８（ａ）、（ｂ）は各々、本発明の実施の形態７に係るレンズ駆動装置を斜め上方からみた外観図、およびその要部の分解斜視図である。なお、本形態の基本的な構成は、実施の形態１と同様であるため、共通する部分には同一の符号を付してそれらの説明を省略するとともに、図８（ｂ）には、図１（ｂ）に示すレンズ駆動装置の構成要素のうち、レンズ１２１、レンズホルダ１２、およびケース１８のみを示してある。
【００６６】
図８（ａ）、（ｂ）において、本形態のレンズ駆動装置１も、実施の形態１と同様、レンズ１２１を光軸Ｘ方向に沿って被写体（物体側）に近づくＡ方向（前側）、および被写体とは反対側（像側）に近づくＢ方向（後側）の双方向に移動させるためのものであり、支持体２は、移動体３の周りおよび被写体側を覆う筒状部１８ａおよび天板部１８ｂを備えたケース１８を有している。
【００６７】
本形態でも、実施の形態１と同様、天板部１８ｂには円形の開口部１８ｃが形成されており、かかる開口部１８ｃの内径寸法は、最も被写体側に位置するレンズ１２１の外径寸法よりも小さいが、最も被写体側に位置するレンズ１２１の有効径よりも大きい。
【００６８】
ここで、ケース１８は、実施の形態１〜６と違って、筒状部１８ａおよび天板部１８ｂを一体に備えた箱形の金属部品であり、磁性材料から構成されている。
【００６９】
このように構成した場合も、ケース１８の天板部１８ｂに形成した開口部１８ｃの内径寸法は、レンズ１２１の有効径よりも大きいが、レンズ１２１の外径寸法よりも小さいこのため、天板部１８ｂとして残っている部分が広い。従って、レンズ駆動装置１の製造途中、あるいは製造後、天板部１８ｂを真空チャックで吸着して搬送などを行なうことがでる。また、ケース１８をシールド材として利用した際、十分なシールド機能を発揮する。さらに、ケース１８をヨークとして利用した際、十分な集磁機能を発揮する。さらにまた、レンズ１２１に対して被写体側を開放状態で製造する場合や、完成品の段階でレンズ１２１に対して被写体側を開放状態で使用する場合には、開口部１８ｃからの異物の侵入を防止することができ、レンズ１２１への異物の付着を防止することができる。
【００７０】
［他の実施の形態］
上記実施の形態は、一枚のレンズ１２１を使用した単焦点のオートフォーカスタイプのレンズ駆動装置や、複数枚のレンズ１２１の相対位置が切り換わらない単焦点のオートフォーカスタイプのレンズ駆動装置に本発明を適用した例であったが、複数枚のレンズ１２１の相対位置を切り換え可能なズームレンズを用いた可変焦点タイプのレンズ駆動装置に本発明を適用してもよい。この場合も、上記実施の形態と同様、天板部材１８５に形成する開口部１８ｃの内径寸法は、複数枚のレンズ１２１より小さく設定する。例えば、開口部１８ｃの内径寸法は、最も被写体側に位置するレンズ１２１の外径寸法よりも小さく設定する。但し、開口部１８ｃの内径寸法Ｄｃは、レンズ１２１の全動作範囲における画角、レンズ１２１の有効径、およびレンズ１２１の全動作範囲におけるレンズ１２１と開口部１８ｃの距離を考慮して、レンズ１２１の全動作範囲にわたって天板部１８ｂに起因する画像のケラレが発生させない大きさに設定する。このため、レンズ１２１を広角側に変位させたときでも、画像に開口部１８ｃの内周縁が写り込むことがない。
【図面の簡単な説明】
【００７１】
【図１】（ａ）、（ｂ）は各々、本発明の実施の形態１に係るレンズ駆動装置を斜め上方からみた外観図、および分解斜視図である。
【図２】（ａ）、（ｂ）は、図１に示すレンズ駆動装置の動作を模式的に示す説明図、および筒状部材と天板部材との接合部分を拡大して示す断面図である。
【図３】（ａ）、（ｂ）は各々、本発明の実施の形態２に係るレンズ駆動装置を斜め上方からみた外観図、およびその要部の分解斜視図である。
【図４】本発明の実施の形態３に係るレンズ駆動装置に用いた筒状部材の被写体側端部および天板部材の端部を拡大して示す説明図である。
【図５】（ａ）、（ｂ）は各々、本発明の実施の形態４に係るレンズ駆動装置を斜め上方からみた外観図、およびその要部の分解斜視図である。
【図６】（ａ）、（ｂ）は各々、本発明の実施の形態５に係るレンズ駆動装置を斜め上方からみた外観図、およびその要部の分解斜視図である。
【図７】（ａ）、（ｂ）は各々、本発明の実施の形態６に係るレンズ駆動装置を斜め上方からみた外観図、およびその要部の分解斜視図である。
【図８】（ａ）、（ｂ）は各々、本発明の実施の形態７に係るレンズ駆動装置を斜め上方からみた外観図、およびその要部の分解斜視図である。
【図９】（ａ）、（ｂ）は、本発明の参考例に係るレンズ駆動装置を斜め上方からみた外観図、およびその動作を模式的に示す説明図である。
【符号の説明】
【００７２】
１  レンズ駆動装置
２  支持体
３  移動体
５  レンズ駆動機構
１４ｘ、１４ｙ  バネ部材
１７  マグネット
１８  ケース
１８ａ  筒状部
１８ｂ  天板部
１８ｃ  開口部
３０  駆動コイル
１２１  レンズ
１８０  筒状部材
１８５  天板部材
【図１】
2010008946.tif 000003
【図２】
2010008946.tif 000004
【図３】
2010008946.tif 000005
【図４】
2010008946.tif 000006
【図５】
2010008946.tif 000007
【図６】
2010008946.tif 000008
【図７】
2010008946.tif 000009
【図８】
2010008946.tif 000010
【図９】
2010008946.tif 000011